(57)【要約】【課題】器具自体のトルク特性を変えずに、回し易い操作用摘みを実現し、これにより火加減の操作も容易に行える卓上式コンロを提供すること。【解決手段】熱源の供給量を制御する熱源用制御器を収容した筐体と、筐体の横面に配設されると共に熱源用制御器に接続されて、回動することで供給量を操作するようにした操作用摘み２４と、を備える卓上型コンロであって、操作用摘み２４は、筐体の横面から突出し、指で摘まれて操作をされる摘み本体３０を有し、摘み本体３０は、回動の軸方向Ｘにある中央領域３０ａに比べて、中央領域３０ａから互いに離間するように延伸して形成された両端部３０ｂ，３０ｃの方が、突出寸法が大きいことを特徴とする。【選択図】図６
2019002668.tif 000002
【特許請求の範囲】
【請求項１】
熱源の供給量を制御する熱源用制御器を収容した筐体と、前記筐体の横面に配設されると共に前記熱源用制御器に接続されて、回動することで前記供給量を操作するようにした操作用摘みと、を備える卓上型コンロであって、
前記操作用摘みは、前記筐体の横面から突出し、指で摘まれて前記操作をされる摘み本体を有し、
前記摘み本体は、前記回動の軸方向にある中央領域に比べて、前記中央領域から互いに離間するように延伸して形成された両端部の方が、前記突出する寸法が大きい
ことを特徴とする卓上型コンロ。
【請求項２】
前記両端部は、前記中央領域から離間するに従って幅寸法が大きくなることを特徴とする請求項１に記載の卓上型コンロ。
【請求項３】
前記筐体の上には鍋類を載置するための五徳が配設されており、
前記五徳の前記鍋類を載置する載置面は、その長手方向の中央部の幅が最も大きく、前記中央部から先端及び根元に向かって幅が狭くなっていく
ことを特徴とする請求項１又は２に記載の卓上型コンロ。
【請求項４】
前記筐体は、ガスボンベの収容空間を有すると共に、前記収容空間を覆う開閉可能な蓋体を有するボンベ収容部を備え、
前記筐体の上には、前記ボンベ収容部に隣接し、前記ガスボンベから燃料ガスを受けるガスバーナー、及び点火用の電極を露出するように貫通孔が形成された着脱可能な天板が配設され、
前記天板は、平面視において四隅全てが角丸形状とされており、
前記貫通孔は、前記ガスバーナーを露出させるバーナー用孔と、このバーナー用孔と繋がって前記電極を露出させる電極用孔とを有し、前記電極用孔は前記バーナー用孔の互いに正反対となる２個所に形成されており、
前記蓋体は、閉じた際に、前記天板の前記角丸形状の部分に隣接するように突出した突出部を有する
ことを特徴とする請求項１乃至３のいずれかに記載の卓上型コンロ。
【発明の詳細な説明】
【技術分野】
【０００１】
本発明は、操作用摘みを備えた卓上型コンロに関するものである。
【背景技術】
【０００２】
従来から、テーブルなどの上で使用される卓上型コンロが知られている。例えば、特許文献１のカセットコンロは、図１及び図２に示されるように、ガスボンベ５内の燃料ガスを熱源とするもので、卓上まで運搬して使用することができる。
即ち、ガスボンベ５からの燃料ガスは、ガス通路の開閉度を制御する流量制御弁や、調圧装置であるガバナ４を通って、ガスバーナーに供給される。流量制御弁には器具栓摘み（操作用摘み）１４が操作軸を介して接続されており、器具栓摘み１４を回動操作することで、ガスバーナーに供給するガス流量を制御している。
【先行技術文献】
【特許文献】
【０００３】
【特許文献１】特開２０１３−７６５２４号公報
【発明の概要】
【発明が解決しようとする課題】
【０００４】
ところで、卓上に置かれたカセットコンロについては、横面に器具栓摘み１４が配置されることが多い。このため、例えば指で器具栓摘み１４を摘まむ際、テーブルと器具栓摘み１４との距離が短いため、使用者は器具栓摘み１４の中央寄りを摘まんで回動させることがある。この場合、使用者の力にもよるが、器具栓摘み１４を回し難くなって、微妙な火加減の操作が困難になる恐れがある。なお、このような摘みの回し難さは、ガスを熱源とするカセットコンロに限られるものではなく、卓上に置くことができ、横面に操作用摘みがある電気式コンロの場合も同様である。
【０００５】
この点、器具栓摘み１４を回し易くするためには、トルク特性を小さくすればよい。しかし、コンロの場合、トルク特性を小さくすると、物や人体が器具栓摘み１４に当たった際に、簡単に器具栓摘み１４が回ってしまい、予期せぬ火加減になったり、或いは、止めているはずのコンロが加熱したりする恐れもある。
【０００６】
本発明は、以上のことに鑑みてなされたもので、器具自体のトルク特性を変えずに、回し易い操作用摘みを実現し、これにより火加減の操作も容易に行える卓上式コンロを提供することを目的とする。
【課題を解決するための手段】
【０００７】
上記課題は、本発明によれば、熱源の供給量を制御する熱源用制御器を収容した筐体と、前記筐体の横面に配設されると共に前記熱源用制御器に接続されて、回動することで前記供給量を操作するようにした操作用摘みと、を備える卓上型コンロであって、前記操作用摘みは、前記筐体の横面から突出し、指で摘まれて前記操作をされる摘み本体を有し、前記摘み本体は、前記回動の軸方向にある中央領域に比べて、前記中央領域から互いに離間するように延伸して形成された両端部の方が、前記突出する寸法が大きい卓上型コンロにより解決される。
【０００８】
上記構成によれば、指で摘まれて回動操作される摘み本体は、回動軸方向にある中央領域に比べて、その中央領域から互いに離間するように延伸して形成された両端部の方が、突出する寸法が大きくなっている。従って、使用者は、回動軸方向にある中央領域よりも突出した両端部の方に指をあてがい易くなる。換言すれば、回動軸方向にある中央領域は、両端部よりも突出度が小さいため、指を両端部に誘導するための誘導手段となる。従って、使用者は両端部に指を配置して操作するため、回動軸からの距離が大きくなり、器具自体のトルク特性を変えなくても摘み本体を回し易くなる。
【０００９】
また、好ましくは、前記両端部は、前記中央領域から離間するに従って幅寸法が大きくなることを特徴とする。
そうすると、両端部の側面は傾斜面となり、摘み本体を回す際、この傾斜面に指が引っかかり易くなる。従って、両端部を摘まむ力を弱めてもよくなり、その分、摘み本体を回し易くなる。
【００１０】
また、好ましくは、前記筐体の上には鍋類を載置するための五徳が配設されており、前記五徳の前記鍋類を載置する載置面は、その長手方向の中央部の幅が最も大きく、前記中央部から先端及び根元に向かって幅が狭くなっていくことを特徴とする。
従って、使用する卓上型コンロに合わせた好ましい大きさの鍋類を使用者に選択するように誘導できる。即ち、小さな鍋類を五徳の先端部にのみ載置すると、何かの拍子に五徳から鍋類が落下する恐れがある。反対に、根元を超えるような大きな鍋類を五徳に載置した場合も鍋類が不安定になり、また、卓上型コンロがカセットコンロの場合は鍋類の熱がガスボンベに悪影響を与える恐れがある。このため、卓上型コンロに載置する鍋類には好ましい大きさがある。そこで、五徳の載置面の幅について、長手方向の中央部を最大にすることで、この好ましい大きさの鍋類の使用を視覚的に誘導している。
【００１１】
また、好ましくは、前記筐体は、ガスボンベの収容空間を有すると共に、前記収容空間を覆う開閉可能な蓋体を有するボンベ収容部を備え、前記筐体の上には、前記ボンベ収容部に隣接し、前記ガスボンベからガスを受けるガスバーナー、及び点火用の電極を露出するように貫通孔が形成された着脱可能な天板が配設され、前記天板は、平面視において四隅全てが角丸形状とされており、前記貫通孔は、前記ガスバーナーを露出させるバーナー用孔と、このバーナー用孔と繋がって前記電極を露出させる電極用孔とを有し、前記電極用孔は前記バーナー用孔の互いに正反対となる２個所に形成されており、前記蓋体は、閉じた際に、前記天板の前記角丸形状の部分に隣接するように突出した突出部を有することを特徴とする。
【００１２】
そうすると、天板は、平面視において四隅が角丸形状なので、四隅の面積が小さくなって物や人体が当り難くなり、また、当たっても引っかかり難くなるため、卓上型コンロの不意の移動や横転を防止できる。
また、ガスバーナー及び電極を露出させる天板の貫通孔について、電極用孔はバーナー用孔の互いに正反対となる２個所に形成されている。従って、天板を１８０度回転させても電極を露出することができ、天板の方向を気にせずに筐体に取付けることができる。そして、このように天板を１８０度回転させても、天板の四隅は全てが角丸形状なので、上述したように、卓上型コンロの不意の移動や横転を防止できる。
ところで、このように天板の四隅全てを角丸形状とすると、天板に隣接するボンベ収容部の蓋体と天板の隅との間に大きな隙間ができ、ここに食べ物や埃等が入って、引火の恐れも想定できる。しかし、上記構成では、蓋体は、天板の角丸形状の部分に隣接するように突出した突出部を有するため、かかる大きな隙間が生じるようなことはなく、火事の恐れも防止できる。
【発明の効果】
【００１３】
以上より、本発明は、器具自体のトルク特性を変えずに、回し易い操作用摘みを実現し、これにより火加減の操作も容易に行える卓上式コンロを提供することができる。
【図面の簡単な説明】
【００１４】
【図１】本発明の実施形態に係る卓上型コンロの斜視図であり、ボンベ収容部の蓋体を開けた状態の図。
【図２】本発明の実施形態に係る卓上型コンロの平面図。
【図３】図１の筐体を透明にして、熱源用制御器及び操作用摘みの付近を示した平面図。
【図４】五徳の部分の平面図。
【図５】図１の操作用摘みの図であり、図５（Ａ）はその側面図、図５（Ｂ）は正面図。
【図６】図５の操作用摘み付近の斜視図。
【図７】本発明の実施形態の第１変形例に係る卓上型コンロの正面図。
【図８】図７の卓上型コンロの背面図。
【図９】図７の卓上型コンロの平面図。
【図１０】図７の卓上型コンロの底面図。
【図１１】図７の卓上型コンロの右側面図。
【図１２】図７の卓上型コンロの左側面図。
【図１３】図７の卓上型コンロの平面側斜視図。
【図１４】図７の卓上型コンロの底面側斜視図。
【図１５】本発明の実施形態の第２変形例に係る卓上型コンロの正面図。
【図１６】図１５の卓上型コンロの右側面図。
【図１７】図１５の卓上型コンロの左側面図。
【図１８】図１５の卓上型コンロの平面図。
【図１９】図１５の卓上型コンロの底面図。
【図２０】図１５の卓上型コンロの平面側斜視図。
【図２１】図２０のＡ−Ａ，Ｂ−Ｂ部分拡大図。
【図２２】本発明の実施形態の第３変形例に係る卓上型コンロの正面図。
【図２３】図２２の卓上型コンロの右側面図。
【図２４】図２２の卓上型コンロの左側面図。
【図２５】図２２の卓上型コンロの平面図。
【図２６】図２２の卓上型コンロの底面図。
【図２７】本発明の実施形態の第４変形例に係る卓上型コンロの正面図。
【図２８】図２７の卓上型コンロの右側面図。
【図２９】図２７の卓上型コンロの左側面図。
【図３０】図２７の卓上型コンロの平面図。
【図３１】図２７の卓上型コンロの底面図。
【図３２】本発明の実施形態の第５変形例に係る卓上型コンロの正面図。
【図３３】図３２の卓上型コンロの右側面図。
【図３４】図３２の卓上型コンロの左側面図。
【図３５】図３２の卓上型コンロの平面図。
【図３６】図３２の卓上型コンロの底面図。
【図３７】本発明の実施形態の第６変形例に係る卓上型コンロの正面図。
【図３８】図３７の卓上型コンロの右側面図。
【図３９】図３７の卓上型コンロの左側面図。
【図４０】図３７の卓上型コンロの平面図。
【図４１】図３７の卓上型コンロの底面図。
【図４２】本発明の実施形態の第７変形例に係る卓上型コンロの正面図。
【図４３】図４２の卓上型コンロの右側面図。
【図４４】図４２の卓上型コンロの左側面図。
【図４５】図４２の卓上型コンロの平面図。
【図４６】図４２の卓上型コンロの底面図。
【図４７】本発明の実施形態の第８変形例に係る卓上型コンロの正面図。
【図４８】図４７の卓上型コンロの右側面図。
【図４９】図４７の卓上型コンロの左側面図。
【図５０】図４７の卓上型コンロの平面図。
【図５１】図４７の卓上型コンロの底面図。
【図５２】本発明の実施形態の第９変形例に係る卓上型コンロの正面図。
【図５３】図５２の卓上型コンロの右側面図。
【図５４】図５２の卓上型コンロの左側面図。
【図５５】図５２の卓上型コンロの平面図。
【図５６】図５２の卓上型コンロの底面図。
【図５７】本発明の実施形態の第１０変形例に係る卓上型コンロの正面図。
【図５８】図５７の卓上型コンロの右側面図。
【図５９】図５７の卓上型コンロの左側面図。
【図６０】図５７の卓上型コンロの平面図。
【図６１】図５７の卓上型コンロの底面図。
【図６２】本発明の実施形態の第１１変形例に係る卓上型コンロの正面図。
【図６３】図６２の卓上型コンロの右側面図。
【図６４】図６２の卓上型コンロの左側面図。
【図６５】図６２の卓上型コンロの平面図。
【図６６】図６２の卓上型コンロの底面図。
【図６７】本発明の実施形態の第１２変形例に係る卓上型コンロの正面図。
【図６８】図６７の卓上型コンロの右側面図。
【図６９】図６７の卓上型コンロの左側面図。
【図７０】図６７の卓上型コンロの平面図。
【図７１】図６７の卓上型コンロの底面図。
【図７２】本発明の実施形態の第１３変形例に係る卓上型コンロの正面図。
【図７３】図７２の卓上型コンロの右側面図。
【図７４】図７２の卓上型コンロの左側面図。
【図７５】図７２の卓上型コンロの平面図。
【図７６】図７２の卓上型コンロの底面図。
【発明を実施するための形態】
【００１５】
以下、この発明の好適な実施の形態を添付図面を参照しながら詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、各図面間において同じ符号が付けられたものは同じ構成である。
【００１６】
図１〜図３は、本発明の実施形態に係る卓上型コンロ１であり、図１は後述するボンベ収容部２３の蓋体２２を開けた状態の斜視図、図２は蓋体２２を閉めた状態の平面図、図３は図１のボンベ収容部２３内の熱源用制御器２７及びこれに接続された操作用摘み２４付近の平面図である。
この卓上型コンロ１は、持ち運び可能な大きさと重量からなるため、食卓のテーブル等に運んで使用できる。卓上型コンロ１の上には鍋・やかん・鉄板等の鍋類が載置され、調理に用いられる。なお、卓上型コンロ１は、キャンプ・震災時等の屋外での使用も可能である。図の卓上型コンロ１は、燃料ガスを熱源とする卓上型ガスコンロであり、携帯式ガスコンロ、カセットコンロ等とも呼ばれる。
【００１７】
卓上型コンロ１は、カートリッジ式のガスボンベ２８をセットすることでガスの供給が可能となるガス供給部４と、このガス供給部４から供給されたガスを燃料として火炎を発生させるガスバーナー１２を備えた燃焼部２とからなっている。本発明のガス供給部４と燃焼部２とは互いに分離していても構わないが、本実施形態のガス供給部４と燃焼部２とは、筐体６で一体的にまとめられている。
【００１８】
筐体６は、本実施形態の場合、スチールに耐熱塗装を施して形成されているが、これに限られず、例えば耐熱性に優れたホーローで形成されてもよい。筐体６は全体的には略矩形状を呈し、その底面に複数の脚部１７が設けられている。
そして、筐体６は、ガス供給部４側にボンベ収容部２３を有している。ボンベ収容部２３は、ガスボンベ２８を収容する空間Ｓ１を有すると共に、この空間Ｓ１を覆う開閉可能な蓋体２２を有する。
蓋体２２は、燃焼部２から離れた位置にあるヒンジ２５を中心に図のＲ１方向に回動可能とされている。従って、図１の蓋体２２が開けられた開蓋状態では、燃焼部２側に臨んで開口される。図２の蓋体２２が閉められた閉蓋状態では、蓋体２２のヒンジ２５と反対側の端面２２ａが、燃焼部２の天板３４に対向するように隣接した状態となる。
【００１９】
ボンベ収容部２３の内側には、熱源の供給量を制御する熱源用制御器２７が固定されている。本実施形態の熱源用制御器２７は、図３に示すように、ガスボンベ２８を着脱可能にするためのボンベ接続部２６、ガスの流路の開閉度を調整する流量制御弁（不図示）、及び、調圧装置であるガバナ１６を有している。そして、ガスボンベ２８内のガスは、この熱源用制御器２７、及びガス導管１４やガス・空気混合器（図示せず）を通って、空気と混合されながら、図１のガスバーナー１２に供給される。なお、ガスボンベ２８が加熱されてその内部圧力が異常に上昇した時、安全機構が作動して外れるように、ボンベ接続部２６のガスボンベ２８との着脱はマグネットによる。
【００２０】
流量制御弁やガバナ１６等からなる熱源用制御器２７については公知のものを利用でき、回動することで流量制御弁の開閉度を変えて熱源（本実施形態の場合は燃料ガス）の供給量を変えられる操作軸１８を有している。この操作軸１８には操作用摘み（「器具栓摘み」とも言う）２４が接続されている。そして、使用者は、操作用摘み２４を操作軸１８の軸方向を中心に回動操作することで、ガスバーナーに供給されるガス流量（ゼロを含む）を制御することができる。
【００２１】
操作用摘み２４は、図１〜図３に示すように、筐体６の横面（図の場合は正面側の横面）６ｂから突出するように配設されている。具体的には、操作用摘み２４は、操作軸１８に接続された基部３１と、この基部３１から操作軸１８の軸方向に沿って突出し、指で摘まれて回動操作（回動軸１８回りであって、図１のＲ方向に操作）される摘み本体３０と有している。
基部３０は、横面６ｂに対して略平行に配置された板状のカバーを有すると共に、摘み本体３０の回動に伴って回動する突起部１９を有している。そして、摘み本体３０を回すと、突起部１９がイグナイタ３８を押してパルス電圧が発生し、このパルス電圧によって、燃焼部２のガスバーナー１２に隣接した電極３９が放電することで、燃料ガスが点火する。この操作用摘み２４については、後で詳細に説明する。
【００２２】
筐体６の燃焼部２側には、ガスボンベ２８から燃料ガスを受けるガスバーナー１２、及び点火用の電極３９が収容されている。
そして、筐体６の上には、ボンベ収容部２３に隣接し、ガスバーナー１２と電極３９を露出するように貫通孔３７が形成された天板３４が配設されている。天板３４は、煮こぼれやゴミなどの器具内部への侵入を防ぐ汁受け皿の機能を有し、筐体６に対して着脱可能とされている。
【００２３】
天板３４の貫通孔３７は、ガスバーナー１２を露出させるためのバーナー用孔４０と、このバーナー用孔４０と繋がって電極３９を露出させるための電極用孔４１とからなる。貫通孔３７は、大き過ぎると煮こぼれ等を受けられないことから、可及的に小さい孔が好ましい。このため、バーナー用孔４０はガスバーナー１２の形状に対応して円形状とされ、電極用孔４１も電極３９に対応した小孔とされ、バーナー用孔４０の縁を切り欠くように略半円形状とされている。
なお、貫通孔３７の周縁部はリング状の凹所３３とされている。凹所３３は、外周に向かって除々に傾斜する傾斜面とされ、煮こぼれ等を保持できる。
【００２４】
更に、本実施形態の天板３４は、汁受け皿の機能だけではなく、五徳８の土台ともなっている。
五徳８は、天板３４の上面の四隅部に固定され、４本の五徳８でガスバーナー１２を囲んでいる。五徳８は、天板３４に接続された脚部３６と、この脚部３６と一体的に形成され、鍋・フライパン・やかん・鉄板等の鍋類が置かれる載置部１３を有している。なお、本実施形態の五徳８は４本であるが、３本であっても構わず、また、５本以上であってもよい。
脚部３６は、軽量化を図るために、載置部１３との境目付近に切り欠き部３６ａを有している。載置部１３は、脚部３６の上部からガスバーナー１２に向かって延伸し、その上面が鍋類を載置する載置面１５となる。
【００２５】
本実施形態の卓上型コンロ１は以上の特徴を有し、さらに以下の特徴も有している。
〔筐体及び天板について〕
先ず、筐体６及び天板３４について、図１及び図２を用いて説明する。
筐体６は、平面視において、ボンベ収容部２３を有するガス供給部４と反対側の２カ所の隅部６ａが角丸形状とされている（即ち、外側に向かって凸となるように湾曲している）。また、この筐体６の上に置かれる天板３４も、筐体６の隅部６ａの角丸形状と同様、隅部３４ａが角丸形状とされている。従って、卓上型コンロ１は、ガス供給部４と反対側の隅部の面積が小さくなって物や人体が当り難くなり、また、当たっても引っかかり難くなるため、不意の移動や横転を防止できる。
更に、天板３４の角丸形状は、平面視における四つの隅部３４ａの全てに形成されているため、１８０度回転させて筐体６に取付けても、卓上型コンロ１のガス供給部４と反対側の隅部は角丸形状となる。
【００２６】
また、天板３４の貫通孔３７について、電極用孔４１はバーナー用孔４０の互いに正反対となる２個所に形成されている。図の場合、円形状の電極用孔４１の縁の正反対の位置に略半円状に切り欠くように２つの電極用孔４１，４１が形成されている。従って、貫通孔３７は、一方の電極用孔４１側と他方の電極用孔４１側とが対称となり、天板３４を１８０度回転させても電極１９を露出させ、天板３４の方向を気にせずに筐体６に取付けることができる。そして、このように天板を１８０度回転させても、天板３４の四隅３４ａは上述のように全て角丸形状なので、卓上型コンロ１の不意の移動や横転を防止できる。なお、図の電極用孔４１は２つであるが、３つ以上であっても構わない。
【００２７】
〔ボンベ収容部の蓋体について〕
次に、ボンベ収容部２３の蓋体２２について、図１及び図２を用いて説明する。
蓋体２２は、閉じた閉蓋状態で、天板３４の角丸形状の部分に隣接するように突出した突出部４３を有している。即ち、蓋体２２の天板３４側の端面２２ａには、回動方向Ｒ１と直交する方向Ｙの両端部に突出部４３が形成されている。この各突出部４３の縁は、天板３４の四隅の角丸形状に沿った形状とされている。このため、図２の閉蓋状態において、突出部４３と天板３４の隅３４ａとの間には僅かな隙間だけが生じるようになる。従って、天板３４の四隅３４ａ全てが角丸形状であっても、天板３４と蓋体２２との間に食べ物や埃等が侵入する恐れを低減できる。
なお、突出部４３の形状は、天板３４の隅３４ａの角丸形状に完全に対応しているわけではなく、外側の端が丸みを帯びている。従って、突出部４３は尖ることがなく、図１の開蓋状態での怪我が防止される。
【００２８】
〔五徳について〕
次に五徳８について、主に図４を用いて説明する。図４は五徳８の平面図である。
図４に示すように、五徳８の鍋類を載置する載置面１５は、その長手方向の中央部１５ａの幅Ｗ１が最も大きく、中央部１５ａから先端１５ｂ及び根元１５ｃに向かって次第に幅が狭くなっている。この中央部１５ａは、中央部１５ａに鍋底の外周部を載置した際、通常の鍋類であれば、図２に示す天板３４からはみ出さないような位置とされ、平面視が概ね正方形の天板３４の四隅３４ａから７〜９ｃｍの位置にある。図４の中央部１５ａの最大幅Ｗ１は約６ｍｍであって、先端１５ｂ及び根元１５ｃの幅Ｗ２の約２倍であるが、本発明はこれに限られない。これにより、使用者に対して、視覚的に鍋類を中央部１５ａに載置することで安定する印象を与え、好ましい大きさの鍋類を使用者に選択するように誘導できる。従って、小さい鍋類を先端１５ｂにのみ配置して五徳８から落下する恐れを防止でき、また、天板３４からはみ出すような大きな鍋類の使用を抑制し、ボンベ収容部２３の上に鍋類が配置されることでガスボンベが加熱される事態を防止できる。
【００２９】
〔操作用摘みについて〕
次に操作用摘み２４について、主に図５及び図６を用いて説明する。図５（Ａ）は操作用摘み２４の側面図、図５（Ｂ）は操作用摘み２４の正面図、図６は操作用摘み２４付近の斜視図である。
上述したように、操作用摘み２４は、筐体横面から突出して、指ＦＧ１，ＦＧ２で摘まれて回動する摘み本体３０有しているが、この摘み本体３０は、回動の軸方向（操作軸１８の軸方向）Ｘにある中央領域３０ａの突出寸法Ｄ１に比べて、中央領域３０ａから互いに離間するように延伸して形成された両端部３０ｂ，３０ｃの突出寸法Ｄ２の方が大きい。これにより、中央領域３０ａは突出度が小さいため、指ＦＧ１，ＦＧ２を両端部３０ｂ，３０ｃに誘導し、図６に示すように、使用者は両端部３０ｂ，３０ｃの方に自然に指ＦＧ１，ＦＧ２をあてがうこととなる。従って、力を作用させる指ＦＧ１，ＦＧ２の位置と操作軸１８との距離が大きくなり、器具自体のトルク特性を変えなくても摘み本体３０を回し易くなる。実際、器具自体のトルク特性が変わらない従来の操作用摘みと本実施形態の操作用摘み２４で実験したところ、２０人中２０人から回し易いとの感想を得ることができた。
なお、ここにいう「突出寸法」とは筐体横面から突出した寸法である。また、「両端部」とは中央領域３０ａよりも長手方向Ｙの両側の領域をいう。
【００３０】
具体的に、本実施形態では、一方の端部３０ｂと他方の端部３０ｃの突出寸法Ｄ２は同じである（但し、本発明の構成はこれに限られない）。
また、摘み本体３０は、全体的には、操作軸１８の軸方向Ｘと直交する一方向Ｙに長い柱体であり、該一方向Ｙに沿った高さ寸法Ｈ１、中心軸方向Ｘに沿って突出した最大突出寸法Ｄ２、最大幅寸法Ｗ３の順で寸法が大きく、図の場合、Ｈ１は約４５ｍｍ、Ｄ２は約１５ｍｍ、Ｗ３は約１３ｍｍである。
そして、使用者と正対する正面の一方向（長手方向）Ｙの中央領域３０ａが窪んで形成されている。中央領域３０ａの窪み方は、両端部３０ｂ，３０ｃの方が突出していることが視覚的に明らかに分かれば、大きく窪まなくてもよい。例えば図の摘み本体３０の場合、両端部３０ｂ，３０ｃの正面は、長手方向Ｙの両端から中央領域３０ａに向かって除々に奥まるように（筐体側となるように）傾斜した傾斜面３０ｄとされると共に、中央領域３０ａが湾曲して窪んでいる（図の最大窪み寸法Ｄ３は約２ｍｍである）。これにより、中央領域３０ａが左程大きく窪まなくても窪んだ印象を使用者に与えることができる。従って、窪んだ中央領域３０ａに物や人が引っかかって卓上型コンロをひっくり返す等の事態を防止できる。
【００３１】
また、両端部３０ｂ，３０ｃは、中央領域３０ａから離間するに従って除々に幅寸法が大きくなり、このため、摘み本体３０を正対視した場合の両側面３０ｅ，３０ｅは同様に傾斜している（図の場合の傾斜角度θは約２度であるが、本発明はこれに限られず、この際、傾斜角度θは約２〜５度以内で好適に実施できる）。換言すれば、両側面３０ｅ，３０ｅは、長手方向Ｙの縁に向かうに従って互いに離間するように傾斜している。従って、摘み本体３０を回す際、この傾斜面に指が引っかかり易くなり、両端部３０ｂ，３０ｃを摘まむ力を弱めてもよくなり、その分、摘み本体３０を回し易くなる。
なお、図５（Ａ）に示すように、摘み本体３０の長手方向Ｙの両端であって、筐体側の角部（以下、「筐体側角部」という）３０ｆは面取りされている。そして、この筐体側角部３０ｆを平面視できる図３に示すように、摘み本体３０の内側Ｓ２は空洞である。
【００３２】
本発明の実施形態は以上のように好ましい態様で構成されているが、本発明はこの態様に限定されるものではない。例えば、本実施形態の卓上型コンロは燃料ガスを熱源とするものであるが、電気式であっても構わない。
また、本発明の操作用摘みについては、図７〜図７６に示す形状にしても構わない。これらの図では、本発明にとって特徴的な部分の一つである摘み本体のみを実線で表し、その他の部分を破線で示している。
図７〜図１４は第１変形例であり、図１〜図６の実施形態（以下、「上記実施形態」という）と略同様であり、摘み本体を正対視した際の両側面の傾斜角度が丁度２度とされている点のみが異なっている。
図１５〜図２１は第２変形例であり、上記実施形態と比べて、摘み本体の正面視が長円状であって幅寸法が若干小さく、かつ、長手方向を垂直に配置した際の上側の端部に穴が形成されている点が異なる。尚、第２変形例の背面図は図８と、底面側斜視図は図１４と、それぞれ同一である。
図２２〜図２６は第３変形例であり、上記実施形態と比べて、摘み本体の中央領域の窪み方が大きい点が主に異なる。尚、第３変形例の背面図は図８と、底面側斜視図は図１４と、それぞれ同一である。
【００３３】
図２７〜図７６は、第４〜第１３変形例であって、上記実施形態と比べて、中央領域から離間するに従って除々に幅寸法が大きくなるように、正対視した際の摘み本体の両側面が傾斜面とされていない点が異なり、更に、以下の点が主に異なっている。尚、第４〜第１３変形例において、各背面図は図８と、各底面側斜視図は図１４と、それぞれ同一である。
第４変形例の図２７〜図３１では、上記実施形態と比べて、摘み本体の両端部の正面が中央から両端に向かうに従って奥まるように傾斜している点、筐体側角部が面取りされていない点、中央領域の窪み方が大きい点が異なる。
第５変形例の図３２〜図３６では、上記実施形態と比べて、摘み本体の長手方向の両端部が概ね矩形状とされている点、中央領域の窪み方が大きい点が異なる。
第６変形例の図３７〜図４１では、上記実施形態と比べて、摘み本体の両端部の正面が傾斜していない点、中央領域の窪み方が大きい点が異なる。
第７変形例の図４２〜図４６では、上記実施形態と比べて、摘み本体の正面側の角部が湾曲している点、筐体側角部が面取りされていない点、中央領域の窪み方が大きい点が異なる。
第８変形例の図４７〜図５１では、上記実施形態と比べて、摘み本体の両端部の正面が湾曲している点、中央領域の窪み方が大きい点が異なる。
第９変形例の図５２〜図５６では、上記実施形態と比べて、摘み本体の中央領域の窪み方が小さい点が異なる。
第１０変形例の図５７〜図６１では、上記実施形態と比べて、摘み本体の両端部の正面が中央から両端に向かうに従って奥まるように傾斜している点、中央領域の窪み方が小さい点が異なる。この第１０変形例の場合、両端部の殆どが中央領域に比べて突出寸法が小さいため、上記実施形態の変形例とは必ずしも言えない。但し、中央領域が窪んでいることで、両端部に指を全く誘導できないわけでもない。
第１１変形例の図６２〜図６６では、上記実施形態と比べて、摘み本体の両端部の正面が湾曲している点、中央領域の窪み方が小さい点が異なる。
第１２変形例の図６７〜図７１では、上記実施形態と比べて、摘み本体の中央領域は窪んでいるのではなく完全に切り欠かれて存在せず、両端部だけが存在する点、及び、その両端部の角部が丸められている点が異なる。このように、両端部のみが存在する摘み本体も本発明の実施形態となる。
第１３変形例の図７２〜図７６では、上記実施形態と比べて、第１２変形例と同様、両端部だけが存在する点、及び、その両端部の側面が傾斜している点が異なる。
【符号の説明】
【００３４】
１・・・卓上式コンロ、２・・・本体部、４・・・ガス供給部、６・・・筐体、８・・・五徳、１２・・・ガスバーナー、１８・・・操作軸、２２・・・蓋体、２３・・・ボンベ収容部、２４・・・操作用摘み、２７・・・熱源用制御器、３０・・・摘み本体、３０ａ・・・中央領域、３０ｂ，３０ｃ・・・両端部、３１・・・基部、３４・・・天板、３７・・・貫通孔、３９・・・電極、
【図１】
2019002668.tif 000003
【図２】
2019002668.tif 000004
【図３】
2019002668.tif 000005
【図４】
2019002668.tif 000006
【図５】
2019002668.tif 000007
【図６】
2019002668.tif 000008
【図７】
2019002668.tif 000009
【図８】
2019002668.tif 000010
【図９】
2019002668.tif 000011
【図１０】
2019002668.tif 000012
【図１１】
2019002668.tif 000013
【図１２】
2019002668.tif 000014
【図１３】
2019002668.tif 000015
【図１４】
2019002668.tif 000016
【図１５】
2019002668.tif 000017
【図１６】
2019002668.tif 000018
【図１７】
2019002668.tif 000019
【図１８】
2019002668.tif 000020
【図１９】
2019002668.tif 000021
【図２０】
2019002668.tif 000022
【図２１】
2019002668.tif 000023
【図２２】
2019002668.tif 000024
【図２３】
2019002668.tif 000025
【図２４】
2019002668.tif 000026
【図２５】
2019002668.tif 000027
【図２６】
2019002668.tif 000028
【図２７】
2019002668.tif 000029
【図２８】
2019002668.tif 000030
【図２９】
2019002668.tif 000031
【図３０】
2019002668.tif 000032
【図３１】
2019002668.tif 000033
【図３２】
2019002668.tif 000034
【図３３】
2019002668.tif 000035
【図３４】
2019002668.tif 000036
【図３５】
2019002668.tif 000037
【図３６】
2019002668.tif 000038
【図３７】
2019002668.tif 000039
【図３８】
2019002668.tif 000040
【図３９】
2019002668.tif 000041
【図４０】
2019002668.tif 000042
【図４１】
2019002668.tif 000043
【図４２】
2019002668.tif 000044
【図４３】
2019002668.tif 000045
【図４４】
2019002668.tif 000046
【図４５】
2019002668.tif 000047
【図４６】
2019002668.tif 000048
【図４７】
2019002668.tif 000049
【図４８】
2019002668.tif 000050
【図４９】
2019002668.tif 000051
【図５０】
2019002668.tif 000052
【図５１】
2019002668.tif 000053
【図５２】
2019002668.tif 000054
【図５３】
2019002668.tif 000055
【図５４】
2019002668.tif 000056
【図５５】
2019002668.tif 000057
【図５６】
2019002668.tif 000058
【図５７】
2019002668.tif 000059
【図５８】
2019002668.tif 000060
【図５９】
2019002668.tif 000061
【図６０】
2019002668.tif 000062
【図６１】
2019002668.tif 000063
【図６２】
2019002668.tif 000064
【図６３】
2019002668.tif 000065
【図６４】
2019002668.tif 000066
【図６５】
2019002668.tif 000067
【図６６】
2019002668.tif 000068
【図６７】
2019002668.tif 000069
【図６８】
2019002668.tif 000070
【図６９】
2019002668.tif 000071
【図７０】
2019002668.tif 000072
【図７１】
2019002668.tif 000073
【図７２】
2019002668.tif 000074
【図７３】
2019002668.tif 000075
【図７４】
2019002668.tif 000076
【図７５】
2019002668.tif 000077
【図７６】
2019002668.tif 000078